(57)【要約】      （修正有）【課題】洗浄器を構成するノズルが妊婦さんや体型の大きい方を始め赤ちゃんのおしり、介護時や停電時等のトイレ使用時において、自在に好みの角度に曲げて、安楽に洗浄ができる洗浄器を提供する。【解決手段】圧縮復元可能な可撓材にて形成し、且開口部を有する洗浄液タンクａと、前記洗浄液タンクａの開口部に嵌着し、且中央に噴射孔を有する突出部を突設するキャップｂと、下端部は前記キャップｂに嵌挿し、且上端部５に洗浄液噴射部６を形成し、中空部内に折曲自在にして、且非腐蝕性の角度調整部材を挿入するノズルｃとを形成し、タンクａにキャップｂを嵌着し、キャップｂにノズルｃの下端部を嵌着せしめた。【選択図】図１
0003172517.tif 000002
【実用新案登録請求の範囲】
【請求項１】
圧縮復元可能な可撓材にて形成し、且開口部１を有する洗浄液タンクａと、前記洗浄液タンクａの開口部１に嵌着し、且中央に噴射孔３を有する突出部２を突設するキャップｂと、下端部４は前記キャップｂに嵌挿し、且上端部５に洗浄液噴射部６を形成し、中空部７内に折曲自在にして、且非腐蝕性の角度調整部材ｄを挿入するノズルｃとを形成し、前記タンクａに前記キャップｂを嵌着し、前記キャップｂに前記ノズルｃの下端部を嵌着せしめることを特徴とする洗浄器。
【請求項２】
前記ノズルｃに、前記ノズルｃより短い保護部材ｅを被覆せしめることを特徴とする請求項１に記載の洗浄器。
【請求項３】
前記角度調整部材ｄが、アルミニウム製線材であることを特徴とする請求項１又は同２に記載の洗浄器。
【請求項４】
前記角度調整部材ｄは、前記ノズルｃの長さより短く、且上下端部に係止部１２、１２を形成せしめることを特徴とする請求項１又は同２又は同３に記載の洗浄器。
【請求項５】
前記洗浄液タンクａは、左側壁部９もしくは右側壁部８の一側方もしくは両側方に凹部１０と凸部１１を形成せしめることを特徴とする請求項１又は同２又は同３又は同４に記載の洗浄器。
【請求項６】
前記保護部材ｅは、蛇腹形状に形成せしめることを特徴とする請求項１又は同２又は同３又は同４又は同５に記載の洗浄器。
【考案の詳細な説明】
【技術分野】
【０００１】
本考案は、赤ちゃんのおしり・介護・停電時・海外旅行・レジャー等水洗トイレがない場合や使えないときに便利な洗浄器の分野に関するものである。
【背景技術】
【０００２】
従来、洗浄器として実用新案登録第３０６３５７３号登録実用新案公報が開示されている。
【０００３】
この洗浄器は、圧縮復元可能な可撓材にて形成され、口部２を有する洗浄液タンク１と、一端を、前記洗浄液タンク１の口部２へ脱着自在に連結する本体６に形成すると共に、他端を、ノズル９の挿着部７に形成したキャップ４と、一端を、前記キャップ４の挿着部７へ挿着される短尺の直管部に形成すると共に、他端を、略くの字形状の屈曲部１１を介して長尺の傾斜管部１２に形成し、かっこの傾斜管部１２先端の傾斜側正面に洗浄液噴出部１３を設けたノズル９とを具備した構成である。
【０００４】
前記開示の洗浄器は、使用時にノズル９を所定の角度に曲げようとしても、硬質プラスチック製ノズル９のため折曲ができないものである。そのため洗浄液タンクをつかんでの洗浄が思うように行かない弊害がある。
【０００５】
さらに、前記開示の洗浄器は、洗浄液タンク１の傾壁面に凹部と凸部がなく、洗浄作業時に手指で押圧しても、すべすべして押圧時の感触は良いとは云えない。
【先行技術文献】
【特許文献】
【０００６】
【特許文献１】実用新案登録第３０６３５７３号登録実用新案公報
【考案の概要】
【考案が解決しようとする課題】
【０００７】
本考案は、洗浄器を構成するノズルが妊婦さんや体型の大きい方を始め赤ちゃんのおしり、介護時や停電時等のトイレ使用時において、自在に好みの角度に曲げて、安楽に洗浄ができることを解決課題としている。
【０００８】
さらに、本考案は、洗浄器を構成するノズル内に挿入して所定の角度に曲げたりすることができる角度調整部材を非腐蝕性のアルミニウム製等の線材を使用することによって、商品寿命の長い経済性に富んだ製品を得ることを解決課題としている。
【０００９】
また、本考案は、洗浄時に洗浄液タンクの側壁部を手指が摘みやすく、且押圧やもみやすくして噴射作業を良好にすることを解決課題としている。
【課題を解決するための手段】
【００１０】
上記課題を解決するための手段としての請求項１記載の考案は、圧縮復元可能な可撓材にて形成し、且開口部１を有する洗浄液タンクａと、前記洗浄液タンクａの開口部１に嵌着し、且中央に噴射孔３を有する突出部２を突設するキャップｂと、下端部４は前記キャップｂに嵌挿し、且上端部５に洗浄液噴射部６を形成し、中空部７内に折曲自在にして、且非腐蝕性の角度調整部材ｄを挿入するノズルｃとを形成し、前記タンクａに前記キャップｂを嵌着し、前記キャップｂに前記ノズルｃの下端部を嵌着せしめることを特徴とする洗浄器である。
【００１１】
上記課題を解決するための手段としての請求項２記載の考案は、前記ノズルｃに、前記ノズルｃより短い保護部材ｅを被覆せしめることを特徴とする請求項１に記載の洗浄器である。
【００１２】
上記課題を解決するための手段としての請求項３記載の考案は、前記角度調整部材ｄが、アルミニウム製線材であることを特徴とする請求項１又は同２に記載の洗浄器である。
【００１３】
上記課題を解決するための手段としての請求項４記載の考案は、前記角度調整部材ｄは、前記ノズルｃの長さより短く、且上下端部に係止部１２、１２を形成せしめることを特徴とする請求項１又は同２又は同３に記載の洗浄器である。
【００１４】
上記課題を解決するための手段としての請求項５記載の考案は、前記洗浄液タンクａは、左側壁部９もしくは右側壁部８の一側方もしくは両側方に凹部１０と凸部１１を形成せしめることを特徴とする請求項１又は同２又は同３又は同４に記載の洗浄器である。
【００１５】
上記課題を解決するための手段としての請求項６記載の考案は、前記保護部材ｅは、蛇腹形状に形成せしめることを特徴とする請求項１又は同２又は同３又は同４又は同５に記載の洗浄器である。
【考案の効果】
【００１６】
請求項１記載の考案は、圧縮復元可能な可撓材にて形成し、且開口部１を有する洗浄液タンクａと、前記洗浄液タンクａの開口部１に嵌着し、且中央に噴射孔３を有する突出部２を突設するキャップｂと、下端部４は前記キャップｂに嵌挿し、且上端部５に洗浄液噴射部６を形成し、中空部７内に折曲自在にして、且非腐蝕性の角度調整部材ｄを挿入するノズルｃとを形成し、前記タンクａに前記キャップｂを嵌着し、前記キャップｂに前記ノズルｃの下端部を嵌着せしめることを特徴とする洗浄器なので、ノズルを洗浄しやすい所望する角度に曲げることができる利点を有している。
【００１７】
さらに、本考案は、ノズル内に挿入する角度調整部材を非腐蝕性の線材を使用したので、腐蝕せず製品寿命を延命して極めて経済的である。
【００１８】
また、腐蝕しないので、衛生的である利点を有している。
【００１９】
さらに、請求項２に記載の考案は、前記ノズルｃに、前記ノズルｃより短い保護部材ｅを被覆せしめることを特徴とする請求項１に記載の洗浄器なので、前記請求項１に記載の考案の効果と同じ効果を有している。
【００２０】
また本考案は、ノズルを被覆してノズルの損傷を未然に防止した。
【００２１】
さらに、本考案は、ノズルとノズル内に挿入中の角度調整部材が透視することができなくても、前記ノズルが自在に曲がるので、製品に対する不可思議さを与え製品の購買意欲を著しく高めた。
【００２２】
請求項３に記載の考案は、前記角度調整部材ｄが、アルミニウム製線材であることを特徴とする請求項１又は同２に記載の洗浄器なので、前記請求項１又は同２に記載の考案と同じ効果を有している。
【００２３】
請求項４に記載の考案は、前記角度調整部材ｄは、前記ノズルｃの長さより短く、且上下端部に係止部１２、１２を形成せしめることを特徴とする請求項１又は同２又は同３に記載の洗浄器なので、前記請求項１又は同２又は同３に記載の考案と同じ効果を有している。
【００２４】
請求項５に記載の考案は、前記洗浄液タンクａは、左側壁部９もしくは右側壁部８の一側方もしくは両側方に凹部１０と凸部１１を形成せしめることを特徴とする請求項１又は同２又は同３又は同４に記載の洗浄器なので、前記請求項１又は同２又は同３又は同４に記載の考案と同じ効果を有している。
【００２５】
請求項６に記載の考案は、前記保護部材ｅは、蛇腹形状に形成せしめることを特徴とする請求項１又は同２又は同３又は同４又は同５に記載の洗浄器なので、前記請求項１又は同２又は同３又は同４又は同５に記載の考案と同じ効果を有している。
【図面の簡単な説明】
【００２６】
【図１】本考案洗浄器の斜視図である。
【００２７】
【図２】同洗浄器のノズルを曲げた状態の斜視図である。
【００２８】
【図３】同洗浄器の一部切欠拡大斜視図である。
【００２９】
【図４】図３の洗浄器の分解斜視図である。
【００３０】
【図５】同洗浄器のノズルを外したタンクとキャップの正面図である。
【００３１】
【図６】図５の洗浄器の縦断面図である。
【００３２】
【図７】図５の洗浄器のタンクとキャップの側面図である。
【００３３】
【図８】図７の洗浄器のタンクに手指を当てて摘んだ状態の側面図である。
【００３４】
【図９】同ノズルの曲げ角度を示す一部切欠斜視図である。
【考案を実施するための最良の形態】
【００３５】
請求項１〜６に記載の考案の実施形態は共通しているので、一括して以下のとおり説明する。
【００３６】
図において、ａは圧縮復元可能な可撓材にて形成し、且開口部１を有する洗浄液タンクである。そして、前記開口部１の外周には雄ネジ１ａが形成されている。さらに、前記洗浄液タンクａは、左側壁部９もしくは右側壁部８の一側方もしくは両側方に凹部１０もしくは凹部１０と凸部１１とを形成せしめる。
【００３７】
ｂは前記洗浄液タンクａの開口部１に嵌着し、且中央に噴射孔３を有する突出部２を突設するキャップである。このキャップｂの内側には、雌ネジ２ａが設けられている。
【００３８】
ｃは下端部４が前記キャップｂに嵌挿し、且上端部５に洗浄液噴射部６を形成し、内部は中空部７が形成されているノズルである。
【００３９】
さらに、前記ノズルｃの中空部７には、折曲自在にして、且非腐蝕性の角度調整部材ｄを挿入する。
【００４０】
前記ノズルｃには、前記ノズルｃより短く、且蛇腹形状にして、折曲自在な合成樹脂製保護部材ｅを被覆せしめる。
【００４１】
さらに、本考案は、前記角度調整部材ｄが、アルミニウム製線材もしくは銅製等の線材である。
【００４２】
そして、その長さは前記ノズルｃの長さより短く形成する。
【００４３】
１３は手指である。
【００４４】
前記各構成部材を組立てには以下のようにして行う。
【００４５】
前記タンクａにキャップｂを嵌着し、前記保護部材ｅが被覆されている前記ノズルｃの下端部を前記キャップｂの突出部２に挿込んでやる。
【００４６】
そのとき、前記角度調整部材ｄは、上下端部の係止部１２、１２によって前記ノズルｃを倒立もしくは逆さにしても前記中空部７内をスライドしない。
【００４７】
つぎに本考案の洗浄器を使用するときの実施例について説明する。
【００４８】
前記タンクａ内に洗浄液を注入後、開口部１に前記キャップｂを螺着する（図１）。
【００４９】
しかる後、前記タンクｃの凹部１０に手指１３を当てる。
【００５０】
そして、前記ノズルｃを図９のように、所望する噴射に適する角度に曲げてやる。
【００５１】
その際、前記ノズルｃの中空部７内に挿入している角度調整部材ｄも比例して曲がる。
【００５２】
そして、摘んでいる手指１３をタンクａの側壁部８、９をもんでやると噴射部６から洗浄液が所定量噴射され、おしりが洗浄される。
【００５３】
使用後前記ノズルｃを外してタンクａより洗浄液を排出する。
【００５４】
さらに、前記ノズルｃが曲がっているときは、真っすぐに修正する。
【００５５】
なお、使用時には、前記角度調整部材ｄが係止部１２、１２が中空部７内に係止しているので、ノズルｃ内を上下方部方向に移動したりしない。
【００５６】
そして、前記タンクａとノズルｃとを一体にして袋（図面なし）等に収納する。
【符号の説明】
【００５７】
ａ      タンク
ｂ      キャップ
ｃ      ノズル
ｄ      角度調整部材
ｅ      保護部材
１      開口部
１ａ    雄ネジ
２      突出部
２ａ    雌ネジ上
３      噴射孔
４      下端部
５      上端部
６      噴射部
７      中空部
８      右側壁部
９      左側壁部
１０    凹部
１１    凸部
１２    係止部
１３    手指
【図１】
0003172517.tif 000003
【図２】
0003172517.tif 000004
【図３】
0003172517.tif 000005
【図４】
0003172517.tif 000006
【図５】
0003172517.tif 000007
【図６】
0003172517.tif 000008
【図７】
0003172517.tif 000009
【図８】
0003172517.tif 000010
【図９】
0003172517.tif 000011